(57)【要約】  ディスク９がＨＤ  ＤＶＤ規格の光記録媒体である場合、偏光方向切替素子４ａ、４ｂは入射光の偏光方向を変化させない。このとき、半導体レーザ１からの出射光は対物レンズ８ａでディスク９上に集光され、ディスク９からの反射光は光検出器１２で受光される。一方、ディスク９がＢＤ規格の光記録媒体である場合、偏光方向切替素子４ａ、４ｂは入射光の偏光方向を９０°変化させる。このとき、半導体レーザ１からの出射光は対物レンズ８ｂでディスク９上に集光され、ディスク９からの反射光は光検出器１２で受光される。液晶レンズ３ａ、液晶レンズ３ｂは、それぞれ往路、復路における球面収差を補正する。
2008108138.tif 000002
【特許請求の範囲】
【請求項１】
光源から出射された出射光を第一の種類の光記録媒体上に集光する第一の対物レンズと、
前記光源から出射された出射光を第二の種類の光記録媒体上に集光する第二の対物レンズと、
前記第一の対物レンズにより集光されて前記第一の種類の光記録媒体で反射された反射光と、前記第二の対物レンズにより集光されて前記第二の種類の光記録媒体で反射された反射光とを受光する光検出器と、
前記光源から前記第一の対物レンズまでの前記出射光の光路と、前記光源から前記第二の対物レンズまでの前記出射光の光路とを分離し、前記第一の対物レンズから前記光検出器までの前記反射光の光路と、前記第二の対物レンズから前記光検出器までの前記反射光の光路とを合成する偏光ビームスプリッタと、
前記光源から前記偏光ビームスプリッタへ向かう直線偏光の偏光方向および前記偏光ビームスプリッタから前記光検出器へ向かう直線偏光の偏光方向を変化させないか９０°変化させるかを切り替える偏光方向切替手段と、
前記光源から前記第一、第二の種類の光記録媒体へ選択的に向かう前記出射光に対して共通に働き、前記出射光の光路における球面収差を補正すると共に、前記第一、第二の種類の光記録媒体から選択的に前記光検出器へ向かう前記反射光に対して共通に働き、前記反射光の光路における球面収差を補正する球面収差補正手段と
を具備する光ヘッド装置。
【請求項２】
前記偏光方向切替手段は、
前記光源と前記偏光ビームスプリッタとの間に設けられる往路用偏光方向切替手段と、
前記偏光ビームスプリッタと前記光検出器との間に設けられる復路用偏光方向切替手段と
を備え、
前記球面収差補正手段は、
前記光源と前記往路用偏光方向切替手段との間に設けられる往路用球面収差補正手段と、
前記復路用偏光方向切替手段と前記光検出器との間に設けられる復路用球面収差補正手段と
を備える
請求の範囲１に記載の光ヘッド装置。
【請求項３】
前記往路用球面収差補正手段および前記復路用球面収差補正手段は、液晶光学素子を含む
請求の範囲２に記載の光ヘッド装置。
【請求項４】
前記光源から前記第一または第二の対物レンズへ向かう前記出射光と、前記第一または第二の対物レンズから前記光検出器へ向かう前記反射光とを分離する光分離手段をさらに具備し、
前記偏光方向切替手段は前記光分離手段と前記偏光ビームスプリッタとの間に設けられ、前記球面収差補正手段は前記光分離手段と前記偏光方向切替手段との間に設けられる
請求の範囲１に記載の光ヘッド装置。
【請求項５】
請求の範囲１から請求の範囲４のいずれかに記載の光ヘッド装置と、
前記第一または第二の種類の光記録媒体のどちらを使用するかに応じて前記偏光方向切替手段へ入射する直線偏光の偏光方向を変化させないか９０°変化させるかを切り替えるために、前記偏光方向切替手段を駆動する偏光方向切替手段駆動回路と、
前記光源から前記第一または第二の種類の光記録媒体までの前記出射光の光路における球面収差、および前記第一または第二の種類の光記録媒体から前記光検出器までの前記反射光の光路における球面収差を補正するために、前記球面収差補正手段を駆動する球面収差補正手段駆動回路と
を具備する光学式情報記録再生装置。
【請求項６】
前記偏光方向切替手段駆動回路は、前記光検出器から出力される信号から抽出されるフォーカス誤差信号に基づいて判別される前記光記録媒体の種類に応じて前記偏光方向切替手段を駆動する
請求の範囲５に記載の光学式情報記録再生装置。
【請求項７】
前記球面収差補正手段駆動回路は、前記光記録媒体から再生される再生信号の品質評価指標が最良になるように前記球面収差補正手段を駆動する
請求の範囲５または請求の範囲６に記載の光学式情報記録再生装置。
【請求項８】
光源から出射される出射光を複数の対物レンズによって光記録媒体上に集光する集光ステップと、前記複数の対物レンズの各々は種類の異なる前記光記録媒体に適合するように設計され、
前記光記録媒体で反射された反射光を受光する光検出ステップと、
前記出射光の光路と前記反射光の光路とを分離・合成する分離合成ステップと、
前記光記録媒体の種類に応じて、前記出射光および前記反射光の偏光方向を切り替える偏光方向切替ステップと、
前記出射光の光路における球面収差を補正すると共に、前記反射光の光路における球面収差を補正する球面収差補正ステップと
を具備する光学式情報記録再生方法。
【発明の詳細な説明】
【技術分野】
【０００１】
本発明は、使用するための光学系の条件が異なる２種類の光記録媒体に対して記録や再生を行うための光ヘッド装置および光学式情報記録再生装置に関する。なお、本出願は、日本出願番号２００７−０５５２６３に基づく優先権を主張するものであり、日本出願番号２００７−０５５２６３における開示内容は引用により本出願に組み込まれる。
【背景技術】
【０００２】
光学式情報記録再生装置における記録密度は、光ヘッド装置が光記録媒体上に形成する集光スポットの径の２乗に反比例する。すなわち、集光スポットの径が小さいほど記録密度は高くなる。集光スポットの径は光ヘッド装置における光源の波長に比例し、対物レンズの開口数に反比例する。すなわち、光源の波長が短く対物レンズの開口数が高いほど集光スポットの径は小さくなる。容量６５０ＭバイトのＣＤ（ｃｏｍｐａｃｔ  ｄｉｓｃ）規格においては光源の波長は約７８０ｎｍ、対物レンズの開口数は０．４５である。また、容量４．７ＧバイトのＤＶＤ（ｄｉｇｉｔａｌ  ｖｅｒｓａｔｉｌｅ  ｄｉｓｃ）規格においては光源の波長は約６５０ｎｍ、対物レンズの開口数は０．６である。【０００３】
ところで、光記録媒体が対物レンズに対して傾くと、コマ収差により集光スポットの形状が乱れ、記録再生特性が悪化する。コマ収差は光源の波長に反比例し、対物レンズの開口数の３乗および光記録媒体の保護層の厚さに比例する。そのため、光記録媒体の保護層の厚さが同じ場合、光源の波長が短く対物レンズの開口数が高いほど記録再生特性に対する光記録媒体の傾きのマージンは狭くなる。従って、記録密度を高めるために光源の波長を短くし、対物レンズの開口数を高くした規格においては、記録再生特性に対する光記録媒体の傾きのマージンを確保するために、光記録媒体の保護層の厚さは必要に応じて薄くされている。ＣＤ規格においては光記録媒体の保護層の厚さは１．２ｍｍである。また、ＤＶＤ規格においては光記録媒体の保護層の厚さは０．６ｍｍである。【０００４】
このような背景から、規格が異なる複数種類の光記録媒体に対して記録や再生を行うことができる、即ち互換の機能を有する光ヘッド装置および光学式情報記録再生装置が望まれている。通常の光ヘッド装置においては、ある保護層の厚さに対して球面収差が補正されるように対物レンズが設計されているため、別の保護層の厚さに対して球面収差が残留する。球面収差が残留すると集光スポットの形状が乱れ、良好に記録や再生を行うことができない。そこで、互換の機能を有する光ヘッド装置として複数の対物レンズを備えた光ヘッド装置が提案されている。この光ヘッド装置においては、各々の保護層の厚さに対して球面収差が補正されるように各々の対物レンズが設計されている。そのため、光記録媒体の種類に応じた対物レンズを用いることにより、複数種類の光記録媒体に対して良好に記録や再生を行うことができる。【０００５】
ＤＶＤ規格の光記録媒体とＣＤ規格の光記録媒体の両方に対して記録や再生を行うことができる２つの対物レンズを備えた従来の光ヘッド装置の例として、特開平９−２２３３２７号公報に記載の光ヘッド装置がある。図１に、この光ヘッド装置の構成が示される。光ヘッド装置は、半導体レーザ３５、偏光方向切替素子３６、偏光ビームスプリッタ３７、ミラー３８、１／４波長板３９、対物レンズ４０ａ、４０ｂを備える。偏光方向切替素子３６は、液晶高分子を含んでおり、液晶高分子に電圧が印加される場合には入射光の偏光方向を変化させない全波長板として働き、液晶高分子に電圧が印加されない場合には入射光の偏光方向を９０°変化させる１／２波長板として働く。また、対物レンズ４０ａ、４０ｂはそれぞれ保護層の厚さ０．６ｍｍ、１．２ｍｍに対して球面収差が補正されるように設計されている。【０００６】
ディスク４１がＤＶＤ規格の光記録媒体である場合、偏光方向切替素子３６の液晶高分子に電圧が印加される。このとき、半導体レーザ３５からの出射光は、偏光方向切替素子３６で偏光方向が変化せず、偏光ビームスプリッタ３７へＰ偏光として入射して殆んど全てが透過し、ミラー３８で反射され、１／４波長板３９で直線偏光から円偏光へ変換され、対物レンズ４０ａでディスク４１上に集光される。ディスク４１からの反射光は、対物レンズ４０ａを逆向きに通り、１／４波長板３９で円偏光から往路と偏光方向が直交した直線偏光へ変換され、ミラー３８で反射され、偏光ビームスプリッタ３７へＳ偏光として入射して殆んど全てが反射され、光検出器４２で受光される。【０００７】
一方、ディスク４１がＣＤ規格の光記録媒体である場合、偏光方向切替素子３６の液晶高分子に電圧が印加されない。このとき、半導体レーザ３５からの出射光は、偏光方向切替素子３６で偏光方向が９０°変化し、偏光ビームスプリッタ３７へＳ偏光として入射して殆んど全てが反射され、１／４波長板３９で直線偏光から円偏光へ変換され、対物レンズ４０ｂでディスク４１上に集光される。ディスク４１からの反射光は、対物レンズ４０ｂを逆向きに通り、１／４波長板３９で円偏光から往路と偏光方向が直交した直線偏光へ変換され、偏光ビームスプリッタ３７へＰ偏光として入射して殆んど全てが透過し、光検出器４２で受光される。【０００８】
このように、特開平９−２２３３２７号公報に記載の光ヘッド装置においては、偏光方向切替素子３６の液晶高分子に電圧を印加するかしないかにより半導体レーザ３５からの出射光の光路を切り替えるため、光学部品の機械的な移動を必要としない高信頼な光路の切り替えを実現することができる。また、液晶高分子に印加される電圧は０〜５ボルト程度であるため、高電圧を発生させる回路を必要としない安価な光路の切り替えを実現することができる。【０００９】
さて、近年、記録密度をさらに高めるために光源の波長をさらに短くし、対物レンズの開口数をさらに高くした次世代規格が提案あるいは実用化されている。ＨＤ  ＤＶＤ（ｈｉｇｈ  ｄｅｆｉｎｉｔｉｏｎ  ＤＶＤ）規格と呼ばれる容量１５Ｇ〜２０Ｇバイトの規格においては、光源の波長は約４０５ｎｍ、対物レンズの開口数は０．６５である。また、ＢＤ（ｂｌｕ−ｒａｙ  ｄｉｓｃ）規格と呼ばれる容量２３．３Ｇ〜２７Ｇバイトの規格においては、光源の波長は約４０５ｎｍ、対物レンズの開口数は０．８５である。ＨＤ  ＤＶＤ規格においては光記録媒体の保護層の厚さは０．６ｍｍ、ＢＤ規格においては光記録媒体の保護層の厚さは０．１ｍｍである。【００１０】
ところで、光記録媒体の保護層の厚さが設計値からずれると、球面収差により集光スポットの形状が乱れ、記録再生特性が悪化する。球面収差は光源の波長に反比例し、対物レンズの開口数の４乗に比例するため、光源の波長が短く対物レンズの開口数が高いほど記録再生特性に対する光記録媒体の保護層厚ずれのマージンは狭くなる。従って、記録密度をさらに高めるために光源の波長をさらに短くし、対物レンズの開口数をさらに高くした次世代規格に対応する光ヘッド装置および光学式情報記録再生装置においては、記録再生特性に対する光記録媒体の保護層厚ずれのマージンを確保するために、光記録媒体の保護層厚ずれに起因する球面収差を補正することが必要である。【００１１】
光記録媒体の保護層厚ずれに起因する球面収差を補正することができる従来の光ヘッド装置の例として、特開２００２−３１９１７２号公報に記載の光ヘッド装置がある。図２にこの光ヘッド装置の構成が示される。半導体レーザ４３からの出射光は、コリメータレンズ４４で平行光化され、偏光ビームスプリッタ４５へＰ偏光として入射して殆んど全てが透過し、液晶光学素子４６ａ、４６ｂを通り、１／４波長板４７で直線偏光から円偏光へ変換され、対物レンズ４８でディスク４９上に集光される。ディスク４９からの反射光は、対物レンズ４８を逆向きに通り、１／４波長板４７で円偏光から往路と偏光方向が直交した直線偏光へ変換され、液晶光学素子４６ｂ、４６ａを通り、偏光ビームスプリッタ４５へＳ偏光として入射して殆んど全てが反射され、凸レンズ５０を通り、光検出器５１で受光される。【００１２】
図３は液晶光学素子４６ａ、４６ｂの断面図である。液晶光学素子４６ａと液晶光学素子４６ｂとは重なり合っている。液晶光学素子４６ａは、ガラス基板５２ａとガラス基板５２ｂとの間に液晶高分子層５４ａを挟んだ構成である。ガラス基板５２ａ、５２ｂの液晶高分子層５４ａ側の面には、液晶高分子層５４ａに電圧を印加するための透明電極５３ａ、５３ｂがそれぞれ形成されている。透明電極５３ａ、５３ｂの一方はパタン電極、他方は全面電極である。液晶光学素子４６ｂは、ガラス基板５２ｃとガラス基板５２ｄとの間に液晶高分子層５４ｂを挟んだ構成である。ガラス基板５２ｃ、５２ｄの液晶高分子層５４ｂ側の面には、液晶高分子層５４ｂに電圧を印加するための透明電極５３ｃ、５３ｄがそれぞれ形成されている。透明電極５３ｃ、５３ｄの一方はパタン電極、他方は全面電極である。【００１３】
液晶光学素子４６ａは往路の直線偏光に対してのみ作用し、液晶光学素子４６ｂは復路の直線偏光に対してのみ作用する。そこで、液晶高分子層５４ａに適切な電圧を印加して液晶高分子層５４ａを透過する往路の光に往路における球面収差を打ち消す球面収差を発生させる。液晶高分子層５４ｂに適切な電圧を印加して液晶高分子層５４ｂを透過する復路の光に復路における球面収差を打ち消す球面収差を発生させる。これにより球面収差の補正が行われる。【００１４】
また、特開２００５−１５８１７１号公報に開示されているように、凹レンズと凸レンズとを組み合わせたエキスパンダレンズにより、光記録媒体の保護層厚ずれに起因する球面収差を補正することができる光ヘッド装置も知られている。凹レンズと凸レンズとの間隔を変化させると対物レンズの倍率が変化し、それに伴って対物レンズにおける球面収差が変化する。そこで、凹レンズと凸レンズとの間隔を適切に調整し、対物レンズにおいて往路および復路における球面収差を打ち消す球面収差を発生させる。これにより球面収差の補正が行われる。【００１５】
また、特表２００６−５１２７０８号公報には、放射ビームを生成する放射源と、情報層に放射ビームを収束する対物システムとを有し、光記録担体の情報層を走査する光走査装置が開示されている。この装置は光学素子を含み、その光学素子は、少なくとも２つの隣接した物質であり、物質間に形状づけられたインターフェイスを有する物質を有する。少なくとも第１の物質は複屈折であり、第２の物質は予め定められた角度において複屈折物質の屈折率と実質的に等しい屈折率を有する。
【発明の開示】
【００１６】
本発明の目的は、光学的特性の異なる複数の光記録媒体に対して簡単な構成で球面収差を動的に補正することができる光ヘッド装置および光学式情報記録再生装置ならびに光学式情報記録再生方法を提供することにある。
【００１７】
本発明の観点では、光ヘッド装置は、使用される光学系の条件が異なる第一および第二の種類の光記録媒体を使用対象とし、第一の対物レンズと、第二の対物レンズと、光検出器と、偏光ビームスプリッタと、偏光方向切替手段と、球面収差補正手段とを具備する。第一の対物レンズは、光源から出射された出射光を第一の種類の光記録媒体上に集光する。第二の対物レンズは、光源から出射された出射光を第二の種類の光記録媒体上に集光する。光検出器は、第一の対物レンズにより集光されて第一の種類の光記録媒体で反射された反射光と、第二の対物レンズにより集光されて第二の種類の光記録媒体で反射された反射光とを受光する。偏光ビームスプリッタは、光源から第一の対物レンズまでの出射光の光路と、光源から第二の対物レンズまでの出射光の光路とを分離し、第一の対物レンズから光検出器までの反射光の光路と、第二の対物レンズから光検出器までの反射光の光路とを合成する。偏光方向切替手段は、光源から偏光ビームスプリッタへ向かう直線偏光の偏光方向および偏光ビームスプリッタから光検出器へ向かう直線偏光の偏光方向を変化させないか９０°変化させるかを切り替える。球面収差補正手段は、光源から第一、第二の種類の光記録媒体へ選択的に向かう出射光に対して共通に働き、出射光の光路における球面収差を補正すると共に、第一、第二の種類の光記録媒体から選択的に光検出器へ向かう反射光に対して共通に働き、反射光の光路における球面収差を補正する。
【００１８】
本発明の他の観点では、光学式情報記録再生方法は、集光ステップと、光検出ステップと、分離合成ステップと、偏光方向切替ステップと、球面収差補正ステップとを具備する。集光ステップでは、光源から出射される出射光は複数の対物レンズによってそれぞれ光記録媒体上に集光される。複数の対物レンズの各々は、種類の異なる光記録媒体に適合するように設計されている。光検出ステップでは、光記録媒体で反射された反射光が光検出器により受光される。分離合成ステップでは、出射光の光路と反射光の光路とが分離・合成される。偏光方向切替ステップでは、光記録媒体の種類に応じて、出射光および反射光の偏光方向が切り替えられる。すなわち、出射光および反射光の偏光方向が９０°変化するか、変化されないかのどちらかに切り替えられる。球面収差補正ステップでは、出射光の光路における球面収差が補正されるとともに、反射光の光路における球面収差が共通的に補正される。
【００１９】
本発明によれば、光学的特性の異なる複数の種類の光記録媒体に対して共通に働き、往路における球面収差および復路における球面収差を同時に補正する１組の球面収差補正手段を光学系中に設けるため、複数の対物レンズを備えて複数の種類の光記録媒体に対して記録や再生を行うことができると共に、簡単な構成でどの光記録媒体に対しても球面収差を補正することができる光ヘッド装置および光学式情報記録再生装置ならびに光学式情報記録再生方法を提供することができる。
【図面の簡単な説明】
【００２０】
上記発明の目的、効果、特徴は、添付される図面と連携して実施の形態の記述から、より明らかになる。
【図１】図１は、２種類の光記録媒体に対して記録や再生を行うことができる従来の光ヘッド装置の構成を示す図である。
【図２】図２は、光記録媒体の保護層厚ずれに起因する球面収差を補正することができる従来の光ヘッド装置の構成を示す図である。
【図３】図３は、従来の光ヘッド装置における液晶光学素子の断面図である。
【図４】図４は、本発明の第一の実施の形態に係る光ヘッド装置の構成を示す図である。
【図５】図５Ａ〜５Ｂは、本発明の第一の実施の形態に係る偏光方向切替素子の断面図である。
【図６】図６Ａ〜６Ｃは、本発明の第一の実施の形態に係る液晶レンズの断面図である。
【図７】図７は、本発明の第二の実施の形態に係る光ヘッド装置の構成を示す図である。
【図８】図８は、本発明の第三の実施の形態に係る光学式情報記録再生装置の構成を示す図である。
【図９】図９は、本発明の第四の実施の形態に係る光学式情報記録再生装置の構成を示す図である。
【発明を実施するための最良の形態】
【００２１】
以下に図面を参照して本発明の実施の形態について説明する。
図４に、本発明の第一の実施の形態に係る光ヘッド装置の構成を示す。本実施の形態では、光ヘッド装置６０ａは、ＨＤ  ＤＶＤ規格の光記録媒体とＢＤ規格の光記録媒体の両方に対して記録や再生を行うことができる２つの対物レンズを備える。対物レンズ８ａ、８ｂは、それぞれ保護層の厚さ０．６ｍｍ、０．１ｍｍに対して球面収差が補正されるように設計されている。偏光ビームスプリッタ５は、光源である半導体レーザ１から出射される出射光の光路を、半導体レーザ１から対物レンズ８ａまでの光路と半導体レーザ１から対物レンズ８ｂまでの光路とに分離する。それと共に、偏光ビームスプリッタ５は、光記録媒体であるディスク９からの反射光の対物レンズ８ａから光検出器１２までの光路と対物レンズ８ｂから光検出器１２までの光路とを合成する。往路用偏光方向切替手段である偏光方向切替素子４ａおよび復路用偏光方向切替手段である偏光方向切替素子４ｂは、液晶高分子を含んでいる。したがって、偏光方向切替素子４ａ、４ｂは、液晶高分子に電圧を印加した場合には入射光の偏光方向を変化させない全波長板として働き、液晶高分子に電圧を印加しない場合には入射光の偏光方向を９０°変化させる１／２波長板として働く。往路用球面収差補正手段である液晶レンズ３ａ、復路用球面収差補正手段である液晶レンズ３ｂは、それぞれ往路、復路における球面収差を補正する機能を有する。【００２２】
ディスク９がＨＤ  ＤＶＤ規格の光記録媒体である場合、偏光方向切替素子４ａ、４ｂの液晶高分子に電圧が印加される。このとき、半導体レーザ１からの出射光は、コリメータレンズ２で平行光化され、液晶レンズ３ａを通り、偏光方向切替素子４ａで偏光方向が変化せず、偏光ビームスプリッタ５へＰ偏光として入射して殆んど全てが透過し、ミラー６で反射され、１／４波長板７で直線偏光から円偏光へ変換され、対物レンズ８ａでディスク９上に集光される。ディスク９からの反射光は、対物レンズ８ａを逆向きに通り、１／４波長板７で円偏光から往路と偏光方向が直交した直線偏光へ変換され、ミラー６で反射され、偏光ビームスプリッタ５へＳ偏光として入射して殆んど全てが反射され、偏光方向切替素子４ｂで偏光方向が変化せず、液晶レンズ３ｂを通り、円筒レンズ１０、凸レンズ１１を通り、光検出器１２で受光される。【００２３】
一方、ディスク９がＢＤ規格の光記録媒体である場合、偏光方向切替素子４ａ、４ｂの液晶高分子に電圧が印加されない。このとき、半導体レーザ１からの出射光は、コリメータレンズ２で平行光化され、液晶レンズ３ａを通り、偏光方向切替素子４ａで偏光方向が９０°変化し、偏光ビームスプリッタ５へＳ偏光として入射して殆んど全てが反射され、１／４波長板７で直線偏光から円偏光へ変換され、対物レンズ８ｂでディスク９上に集光される。ディスク９からの反射光は、対物レンズ８ｂを逆向きに通り、１／４波長板７で円偏光から往路と偏光方向が直交した直線偏光へ変換され、偏光ビームスプリッタ５へＰ偏光として入射して殆んど全てが透過し、偏光方向切替素子４ｂで偏光方向が９０°変化し、液晶レンズ３ｂを通り、円筒レンズ１０、凸レンズ１１を通り、光検出器１２で受光される。【００２４】
光検出器１２は、円筒レンズ１０、凸レンズ１１により形成される２つの焦線の中間に設けられており、ディスク９の半径方向に対応する分割線およびディスク９の接線方向に対応する分割線で隔てられた４つの受光部を有する。４つの受光部から出力される電圧信号に基づいて、フォーカス誤差信号、トラック誤差信号、およびディスク９に記録されたマーク／スペース信号である再生信号が検出される。フォーカス誤差信号は公知の非点収差法により検出され、トラック誤差信号は公知のプッシュプル法により検出される。再生信号は４つの受光部から出力される電圧信号の和の高周波成分から検出される。【００２５】
図５Ａ〜５Ｂは偏光方向切替素子４ａ、４ｂの断面図である。偏光方向切替素子４ａ、４ｂは、ガラス基板１３ａとガラス基板１３ｂとの間に液晶高分子層１５を挟んだ構成である。ガラス基板１３ａ、１３ｂの液晶高分子層１５側の面には、液晶高分子層１５に交流電圧を印加するための透明電極１４ａ、１４ｂがそれぞれ形成されている。図中の矢印は液晶高分子層１５の液晶高分子の長手方向を示している。液晶高分子層１５は、光学軸の方向が液晶高分子の長手方向である一軸の屈折率異方性を有している。液晶高分子の長手方向に平行な方向の偏光成分（異常光成分）に対する屈折率をｎｅ、液晶高分子の長手方向に垂直な方向の偏光成分（常光成分）に対する屈折率をｎｏとすると、ｎｅはｎｏに比べて大きい。【００２６】
液晶高分子層１５に実効値が５ボルトの交流電圧が印加されると、図５Ａに示されるように、液晶高分子層１５の液晶高分子の長手方向は、入射光の光軸にほぼ平行な方向となる。従って、入射光に対する液晶高分子層１５の屈折率はｎｏとなる。このとき、偏光方向切替素子４ａ、４ｂは、入射光の偏光方向を変化させない全波長板として作用する。これに対し、液晶高分子層１５に電圧が印加されない場合、図５Ｂに示されるように、液晶高分子層１５の液晶高分子の長手方向は、入射光の光軸にほぼ垂直な方向となる。従って、入射光に対する液晶高分子層１５の屈折率は異常光成分に対してはｎｅ、常光成分に対してはｎｏとなる。なお、液晶高分子層１５の液晶高分子の長手方向の、光軸に垂直な断面内における紙面に平行な方向および紙面に垂直な方向に対する角度は４５°である。ここで、入射光の波長をλ、液晶高分子層１５の厚さをｔとしたとき、２π（ｎｅ−ｎｏ）ｔ／λ＝πが成り立つように厚さｔの値が設定される。また、偏光方向切替素子４ａ、４ｂへの入射光の偏光方向は、紙面に平行な方向または紙面に垂直な方向であるとする。このとき、偏光方向切替素子４ａ、４ｂは、入射光の偏光方向を９０°変化させる１／２波長板として作用する。【００２７】
図６Ａ〜６Ｃは、液晶レンズ３ａ、３ｂの断面図である。液晶レンズ３ａ、３ｂは、ガラス基板１６ａとガラス基板１６ｂとの間に液晶高分子層１８を挟んだ構成である。ガラス基板１６ａ、１６ｂの液晶高分子層１８側の面には、液晶高分子層１８に交流電圧を印加するための透明電極１７ａ、１７ｂがそれぞれ形成されている。透明電極１７ａ、１７ｂの一方はパタン電極、他方は全面電極である。液晶高分子層１８に印加される交流電圧の実効値は、中心部では２．５＋αボルト、周辺部では２．５−αボルトというように、中心部から周辺部へ向かって変化させることができる。図中の矢印は液晶高分子層１８の液晶高分子の長手方向を示している。液晶高分子層１８は光学軸の方向が液晶高分子の長手方向である一軸の屈折率異方性を有している。液晶高分子の長手方向に平行な方向の偏光成分（異常光成分）に対する屈折率をｎｅ、液晶高分子の長手方向に垂直な方向の偏光成分（常光成分）に対する屈折率をｎｏとすると、ｎｅはｎｏに比べて大きい。ここで、液晶レンズ３ａ、３ｂへの入射光の偏光方向は紙面に平行な方向であるとする。【００２８】
０ボルト＜α＜１ボルトの場合、図６Ａに示されるように、液晶高分子の長手方向は、中心部から周辺部へ向かって変化し、中心部では入射光の光軸に平行な方向に近づき、周辺部では入射光の光軸に垂直で紙面に平行な方向に近づく。従って、入射光に対する液晶高分子層１８の屈折率は中心部から周辺部へ向かって変化し、中心部ではｎｏに近づき、周辺部ではｎｅに近づく。このとき、液晶レンズ３ａ、３ｂは、入射光に対して凹レンズとして作用する。αの絶対値が大きいほど凹レンズの焦点距離の絶対値は小さくなる。【００２９】
α＝０ボルトの場合、図６Ｂに示されるように、液晶高分子の長手方向は、中心部、周辺部ともに、入射光の光軸に平行な方向と入射光の光軸に垂直で紙面に平行な方向との中間の方向となる。従って、入射光に対する液晶高分子層１８の屈折率は、中心部、周辺部ともに、ｎｅとｎｏとの中間の値となる。このとき、液晶レンズ３ａ、３ｂは、入射光に対してレンズとして作用しない。【００３０】
−１ボルト＜α＜０ボルトの場合、図６Ｃに示されるように、液晶高分子の長手方向は、中心部から周辺部へ向かって変化し、中心部では入射光の光軸に垂直で紙面に平行な方向に近づき、周辺部では入射光の光軸に平行な方向に近づく。従って、入射光に対する液晶高分子層１８の屈折率は、中心部から周辺部へ向かって変化し、中心部ではｎｅに近づき、周辺部ではｎｏに近づく。このとき、液晶レンズ３ａ、３ｂは、入射光に対して凸レンズとして作用する。αの絶対値が大きいほど凸レンズの焦点距離の絶対値は小さくなる。【００３１】
半導体レーザ１から偏光方向切替素子４ａへ向かう往路の光の偏光方向は、ＨＤ  ＤＶＤ、ＢＤのどちらの光記録媒体を使用する場合にも同じであるため、その方向が図６Ａ〜６Ｃの紙面に平行な方向になるように液晶レンズ３ａを設けることができる。また、偏光方向切替素子４ｂから光検出器１２へ向かう復路の光の偏光方向は、ＨＤ  ＤＶＤ、ＢＤのどちらの光記録媒体を使用する場合にも同じであるため、その方向が図６Ａ〜６Ｃの紙面に平行な方向になるように液晶レンズ３ｂを設けることができる。【００３２】
液晶レンズ３ａの液晶高分子に対するαの値を変化させると、往路において対物レンズ８ａ、８ｂの倍率が変化し、それに伴って対物レンズ８ａ、８ｂにおける球面収差が変化する。そこで、αの値を適切に調整すると、液晶レンズ３ａは、対物レンズ８ａ、８ｂにおいて往路における球面収差を打ち消す球面収差を発生させる。また、液晶レンズ３ｂの液晶高分子に対するαの値を変化させると、復路において対物レンズ８ａ、８ｂの倍率が変化し、それに伴って対物レンズ８ａ、８ｂにおける球面収差が変化する。そこで、αの値を適切に調整すると、液晶レンズ３ｂは、対物レンズ８ａ、８ｂにおいて復路における球面収差を打ち消す球面収差を発生させる。これにより、ＨＤ  ＤＶＤ、ＢＤのどちらの光記録媒体に対しても、往路および復路における球面収差を動的に補正することができる。【００３３】
図７に、本発明の第二の実施の形態に係る光ヘッド装置の構成を示す。本実施の形態では、光ヘッド装置６０ｂは、ＨＤ  ＤＶＤ規格の光記録媒体およびＢＤ規格の光記録媒体の両方に対して記録や再生を行うことができる２つの対物レンズを備える。対物レンズ８ａ、８ｂは、それぞれ保護層の厚さ０．６ｍｍ、０．１ｍｍに対して球面収差が補正されるように設計されている。偏光ビームスプリッタ２１ｂは、光源である半導体レーザ１から出射される出射光の光路を、半導体レーザ１から対物レンズ８ａまでの光路と半導体レーザ１から対物レンズ８ｂまでの光路とに分離する。それと共に、偏光ビームスプリッタ２１ｂは、光記録媒体であるディスク９からの反射光の対物レンズ８ａから光検出器１２までの光路と、対物レンズ８ｂから光検出器１２までの光路とを合成する。偏光方向切替手段である偏光方向切替素子２３は、液晶高分子を含んでいる。偏光方向切替素子２３は、液晶高分子に電圧が印加される場合には、入射光の偏光方向を変化させない全波長板として働き、液晶高分子に電圧が印加されない場合には入射光の偏光方向を９０°変化させる１／２波長板として働く。凹レンズ１９と凸レンズ２０から構成される球面収差補正手段であるエキスパンダレンズは、往路および復路における球面収差を補正する機能を有する。光分離手段である偏光ビームスプリッタ５は、半導体レーザ１から対物レンズ８ａまたは８ｂへ向かう往路の光と、対物レンズ８ａまたは８ｂから光検出器１２へ向かう復路の光とを分離する。【００３４】
ディスク９がＨＤ  ＤＶＤ規格の光記録媒体である場合、偏光方向切替素子２３の液晶高分子に電圧が印加される。このとき、半導体レーザ１からの出射光は、コリメータレンズ２で平行光化され、偏光ビームスプリッタ５へＰ偏光として入射して殆んど全てが透過し、凹レンズ１９、凸レンズ２０を通り、偏光ビームスプリッタ２１ａへＰ偏光として入射して殆んど全てが透過する。透過した光は、偏光方向切替素子２３で偏光方向が変化せず、ミラー２２ａで反射され、偏光ビームスプリッタ２１ｂへＰ偏光として入射して殆んど全てが透過し、１／４波長板７で直線偏光から円偏光へ変換され、対物レンズ８ａでディスク９上に集光される。ディスク９からの反射光は、対物レンズ８ａを逆向きに通り、１／４波長板７で円偏光から往路と偏光方向が直交した直線偏光へ変換され、偏光ビームスプリッタ２１ｂへＳ偏光として入射して殆んど全てが反射され、偏光方向切替素子２３で偏光方向が変化せず、ミラー２２ｂで反射される。ミラー２２ｂで反射された光は、偏光ビームスプリッタ２１ａへＳ偏光として入射して殆んど全てが反射され、凸レンズ２０、凹レンズ１９を通り、偏光ビームスプリッタ５へＳ偏光として入射して殆んど全てが反射され、円筒レンズ１０、凸レンズ１１を通り、光検出器１２で受光される。【００３５】
一方、ディスク９がＢＤ規格の光記録媒体である場合、偏光方向切替素子２３の液晶高分子に電圧は印加されない。このとき、半導体レーザ１からの出射光は、コリメータレンズ２で平行光化され、偏光ビームスプリッタ５へＰ偏光として入射して殆んど全てが透過し、凹レンズ１９、凸レンズ２０を通り、偏光ビームスプリッタ２１ａへＰ偏光として入射して殆んど全てが透過し、偏光方向切替素子２３で偏光方向が９０°変化する。偏光方向が変化した光は、ミラー２２ａで反射され、偏光ビームスプリッタ２１ｂへＳ偏光として入射して殆んど全てが反射され、ミラー６で反射され、１／４波長板７で直線偏光から円偏光へ変換され、対物レンズ８ｂでディスク９上に集光される。ディスク９からの反射光は、対物レンズ８ｂを逆向きに通り、１／４波長板７で円偏光から往路と偏光方向が直交した直線偏光へ変換され、ミラー６で反射され、偏光ビームスプリッタ２１ｂへＰ偏光として入射して殆んど全てが透過し、偏光方向切替素子２３で偏光方向が９０°変化する。偏光方向が変化した光は、ミラー２２ｂで反射され、偏光ビームスプリッタ２１ａへＳ偏光として入射して殆んど全てが反射され、凸レンズ２０、凹レンズ１９を通り、偏光ビームスプリッタ５へＳ偏光として入射して殆んど全てが反射され、円筒レンズ１０、凸レンズ１１を通り、光検出器１２で受光される。【００３６】
光検出器１２は、円筒レンズ１０、凸レンズ１１により形成される２つの焦線の中間に設けられる。光検出器１２は、ディスク９の半径方向に対応する分割線およびディスク９の接線方向に対応する分割線で隔てられた４つの受光部を有する。４つの受光部から出力される電圧信号に基づいて、フォーカス誤差信号、トラック誤差信号、およびディスク９に記録されたマーク／スペース信号である再生信号が検出される。フォーカス誤差信号は公知の非点収差法により検出され、トラック誤差信号は公知のプッシュプル法により検出される。再生信号は４つの受光部から出力される電圧信号の和の高周波成分から検出される。【００３７】
偏光方向切替素子２３の断面図は、図５Ａ〜５Ｂに示されるものと同じである。液晶高分子層１５に実効値が５ボルトの交流電圧が印加される場合、偏光方向切替素子２３は、入射光の偏光方向を変化させない全波長板として作用する。これに対し、液晶高分子層１５に電圧が印加されない場合、偏光方向切替素子２３は、入射光の偏光方向を９０°変化させる１／２波長板として作用する。【００３８】
半導体レーザ１から偏光方向切替素子２３へ向かう往路の光の偏光方向は、ＨＤ  ＤＶＤ、ＢＤのどちらの光記録媒体を使用する場合にも同じである。偏光方向切替素子２３から光検出器１２へ向かう復路の光の偏光方向は、ＨＤ  ＤＶＤ、ＢＤのどちらの光記録媒体を使用する場合にも同じである。このとき、往路の光の偏光方向と復路の光の偏光方向とは互いに直交しているため、往路の光と復路の光とは、偏光ビームスプリッタ２１ａにより合成される。したがって、往路の光および復路の光の共通の光路である偏光ビームスプリッタ５と偏光ビームスプリッタ２１ａとの間にエキスパンダレンズ（凹レンズ１９、凸レンズ２０）を設けることができる。凹レンズ１９と凸レンズ２０との間隔を変化させると、対物レンズ８ａ、８ｂの倍率が変化し、それに伴って対物レンズ８ａ、８ｂにおける球面収差が変化する。そこで、凹レンズ１９と凸レンズ２０との間隔を適切に調整すると、対物レンズ８ａ、８ｂにおいて往路および復路における球面収差を打ち消す球面収差が発生する。これにより、ＨＤ  ＤＶＤ、ＢＤのどちらの光記録媒体に対しても往路および復路における球面収差を同時に補正することができる。【００３９】
図８に、本発明の第三の実施の形態に係る光学式情報記録再生装置の構成が示される。本実施の形態では、光学式情報記録再生装置は、第一の実施の形態において説明された光ヘッド装置６０ａ、変調回路２４、記録信号生成回路２５、半導体レーザ駆動回路２６、増幅回路２７、再生信号処理回路２８、復調回路２９、誤差信号生成回路３０、対物レンズ駆動回路３１、偏光方向切替素子駆動回路３２、液晶レンズ駆動回路３３を備える。これらの回路は、コントローラ（図示せず）により制御される。偏光方向切替手段駆動回路である偏光方向切替素子駆動回路３２は、偏光方向切替素子４ａ、４ｂを駆動して、ＨＤ  ＤＶＤ、ＢＤのどちらの光記録媒体を使用するかに応じて偏光方向切替素子４ａ、４ｂへの入射光の偏光方向を変化させないか９０°変化させるかを切り替える。球面収差補正手段駆動回路である液晶レンズ駆動回路３３は、往路および復路における球面収差を補正するために液晶レンズ３ａ、３ｂを駆動する。【００４０】
ディスク９へデータを記録する場合、変調回路２４は、ディスク９へ記録すべきデータを変調規則に従って変調する。記録信号生成回路２５は、変調回路２４で変調された信号に基づいて、記録ストラテジに従って半導体レーザ１を駆動するための記録信号を生成する。半導体レーザ駆動回路２６は、記録信号生成回路２５で生成された記録信号に基づいて、半導体レーザ１へ記録信号に応じた電流を供給して半導体レーザ１を駆動する。これに対し、ディスク９からデータを再生する場合、半導体レーザ駆動回路２６は、半導体レーザ１からの出射光のパワーが一定になるように、半導体レーザ１へ一定の電流を供給して半導体レーザ１を駆動する。増幅回路２７は、光検出器１２の各受光部から出力される電圧信号を増幅する。【００４１】
ディスク９からデータを再生する場合、再生信号処理回路２８は、増幅回路２７で増幅された電圧信号に基づいて、ディスク９に記録されたマーク／スペース信号である再生信号の生成、波形等化、２値化を行う。復調回路２９は、再生信号処理回路２８で２値化された信号を復調規則に従って復調する。誤差信号生成回路３０は、増幅回路２７で増幅された電圧信号に基づいて、対物レンズ８ａ、８ｂを駆動するためのフォーカス誤差信号およびトラック誤差信号を生成する。対物レンズ駆動回路３１は、誤差信号生成回路３０で生成されたフォーカス誤差信号およびトラック誤差信号に基づいて、アクチュエータ（図示せず）へフォーカス誤差信号およびトラック誤差信号に応じた電流を供給して対物レンズ８ａ、８ｂを駆動する。さらに、光ヘッド装置６０ａは、ポジショナ（図示せず）によりディスク９の半径方向へ駆動される。ディスク９はスピンドル（図示せず）により回転駆動される。【００４２】
偏光方向切替素子駆動回路３２は、誤差信号生成回路３０から入力されるフォーカス誤差信号に基づいて、偏光方向切替素子４ａ、４ｂを駆動する。具体的には、偏光方向切替素子駆動回路３２は、ディスク９の表面および記録面からのフォーカス誤差信号のゼロクロス点の間隔から保護層の厚さが０．６ｍｍ、０．１ｍｍのどちらであるかを調べる。保護層の厚さが０．６ｍｍであればディスク９がＨＤ  ＤＶＤ規格の光記録媒体であると判断し、偏光方向切替素子駆動回路３２は、偏光方向切替素子４ａ、４ｂの液晶高分子に電圧を印加して偏光方向切替素子４ａ、４ｂへの入射光の偏光方向を変化させない。一方、保護層の厚さが０．１ｍｍであればディスク９がＢＤ規格の光記録媒体であると判断し、偏光方向切替素子駆動回路３２は、偏光方向切替素子４ａ、４ｂの液晶高分子に電圧を印加せず偏光方向切替素子４ａ、４ｂへの入射光の偏光方向を９０°変化させる。液晶レンズ駆動回路３３は、再生信号処理回路２８から入力される再生信号に基づいて、液晶レンズ３ａ、３ｂを駆動する。具体的には、再生信号の品質評価指標が最良になるように、液晶レンズ駆動回路３３は、液晶レンズ３ａ、３ｂの液晶高分子に対するαの値を適切に調整して往路および復路における球面収差を動的に補正する。【００４３】
図９に、本発明の第四の実施の形態に係る光学式情報記録再生装置の構成が示される。本実施の形態では、光学式情報記録再生装置は、第二の実施の形態において説明された光ヘッド装置６０ｂ、変調回路２４、記録信号生成回路２５、半導体レーザ駆動回路２６、増幅回路２７、再生信号処理回路２８、復調回路２９、誤差信号生成回路３０、対物レンズ駆動回路３１、偏光方向切替素子駆動回路３２、凹凸レンズ駆動回路３４を備える。これらの回路は、コントローラ（図示せず）により制御される。偏光方向切替手段駆動回路である偏光方向切替素子駆動回路３２は、偏光方向切替素子２３を駆動して、ＨＤ  ＤＶＤ、ＢＤのどちらの光記録媒体を使用するかに応じて偏光方向切替素子２３への入射光の偏光方向を変化させないか９０°変化させるかを切り替える。球面収差補正手段駆動回路である凹凸レンズ駆動回路３４は、往路および復路における球面収差を補正するために凹レンズ１９または凸レンズ２０を駆動する。【００４４】
偏光方向切替素子駆動回路３２は、誤差信号生成回路３０から入力されるフォーカス誤差信号に基づいて偏光方向切替素子２３を駆動する。具体的には、偏光方向切替素子駆動回路３２は、ディスク９の表面および記録面からのフォーカス誤差信号のゼロクロス点の間隔から保護層の厚さが０．６ｍｍ、０．１ｍｍのどちらであるかを調べる。保護層の厚さが０．６ｍｍであればディスク９がＨＤ  ＤＶＤ規格の光記録媒体であると判断し、偏光方向切替素子駆動回路３２は、偏光方向切替素子２３の液晶高分子に電圧を印加して偏光方向切替素子２３への入射光の偏光方向を変化させない。一方、保護層の厚さが０．１ｍｍであればディスク９がＢＤ規格の光記録媒体であると判断し、偏光方向切替素子駆動回路３２は、偏光方向切替素子２３の液晶高分子に電圧を印加せず偏光方向切替素子２３への入射光の偏光方向を９０°変化させる。凹凸レンズ駆動回路３４は、再生信号処理回路２８から入力される再生信号に基づいて凹レンズ１９または凸レンズ２０を駆動する。具体的には、再生信号の品質評価指標が最良になるように、凹凸レンズ駆動回路３４は、凹レンズ１９と凸レンズ２０との間隔を適切に調整して往路および復路における球面収差を補正する。【００４５】
ここで、特開平９−２２３３２７号公報に記載されている光ヘッド装置をＨＤ  ＤＶＤ規格の光記録媒体とＢＤ規格の光記録媒体の両方に対して記録や再生を行うことができる光ヘッド装置に応用することを考える。その場合、どちらの光記録媒体に対しても光記録媒体の保護層厚ずれに起因する球面収差を補正することが必要である。そこで、この光ヘッド装置に液晶光学素子やエキスパンダレンズを追加することにより球面収差を補正する機能を持たせる。【００４６】
図１に示される光ヘッド装置において、図３に示される液晶光学素子４６ａ、４６ｂが偏光ビームスプリッタ３７と１／４波長板３９との間に挿入される場合、偏光ビームスプリッタ３７と対物レンズ４０ａとの間の光路および偏光ビームスプリッタ３７と対物レンズ４０ｂとの間の光路の両方に液晶光学素子４６ａ、４６ｂを挿入するため、２組の液晶光学素子４６ａ、４６ｂが必要になる。液晶光学素子４６ａは往路のどの位置に挿入しても良く、液晶光学素子４６ｂは復路のどの位置に挿入しても良い。そこで、液晶光学素子４６ａ、４６ｂを分離し、液晶光学素子４６ａを半導体レーザ３５と偏光方向切替素子３６の間に挿入し、液晶光学素子４６ｂを偏光ビームスプリッタ３７と光検出器４２の間に挿入することも考えられる。この場合、対物レンズ４０ａから光検出器４２へ向かう復路の光は、偏光ビームスプリッタ３７でＳ偏光として反射されて液晶光学素子４６ｂへ入射し、対物レンズ４０ｂから光検出器４２へ向かう復路の光は偏光ビームスプリッタ３７をＰ偏光として透過して液晶光学素子４６ｂへ入射する。液晶光学素子４６ｂは、どちらか一方の直線偏光に対してしか作用しないため、２種類の光記録媒体の両方に対して復路における球面収差を補正することはできない。半導体レーザ３５と偏光方向切替素子３６との間および偏光ビームスプリッタ３７と光検出器４２との間の両方に液晶光学素子４６ａ、４６ｂを挿入することも考えられるが、やはり２組の液晶光学素子４６ａ、４６ｂが必要になる。【００４７】
また、図１において、エキスパンダレンズを偏光ビームスプリッタ３７と１／４波長板３９の間に挿入する場合、偏光ビームスプリッタ３７と対物レンズ４０ａの間の光路および偏光ビームスプリッタ３７と対物レンズ４０ｂとの間の光路の両方にエキスパンダレンズを挿入するため、２組のエキスパンダレンズが必要になる。半導体レーザ３５と偏光方向切替素子３６との間および偏光ビームスプリッタ３７と光検出器４２との間の両方にエキスパンダレンズを挿入することも考えられるが、やはり２組のエキスパンダレンズが必要になる。【００４８】
すなわち、特開平９−２２３３２７号公報に記載の光ヘッド装置に液晶光学素子やエキスパンダレンズを追加することにより球面収差を補正する機能を持たせる場合、２組の液晶光学素子やエキスパンダレンズが必要になり、球面収差を補正するための光学系およびそれを駆動するための回路系が複雑になる。【００４９】
このように、本発明によれば、光学的特性の異なる複数の種類の光記録媒体に対して共通に働き、往路における球面収差および復路における球面収差を同時に補正する１組の球面収差補正手段を光学系中に設けるため、複数の対物レンズを備えて複数の種類の光記録媒体に対して記録や再生を行うことができると共に、簡単な構成でどの光記録媒体に対しても球面収差を補正することができる光ヘッド装置および光学式情報記録再生装置ならびに光学式情報記録再生方法を提供することができる。【００５０】
以上、実施の形態を参照して本願発明を説明したが、本願発明は上記実施の形態に限定されるものではない。本願発明の構成や詳細には、本願発明のスコープ内で当業者が理解し得る様々な変更をすることができる。
【図１】
2008108138.tif 000003
【図２】
2008108138.tif 000004
【図３】
2008108138.tif 000005
【図４】
2008108138.tif 000006
【図５】
2008108138.tif 000007
【図６】
2008108138.tif 000008
【図７】
2008108138.tif 000009
【図８】
2008108138.tif 000010
【図９】
2008108138.tif 000011
【手続補正書】
【提出日】平成20年6月23日(2008.6.23)
【手続補正１】
【補正対象書類名】特許請求の範囲
【補正対象項目名】全文
【補正方法】変更
【補正の内容】
【特許請求の範囲】
【請求項１】
光源から出射された出射光を第一の種類の光記録媒体上に集光する第一の対物レンズと、
前記光源から出射された出射光を第二の種類の光記録媒体上に集光する第二の対物レンズと、
前記第一の対物レンズにより集光されて前記第一の種類の光記録媒体で反射された反射光と、前記第二の対物レンズにより集光されて前記第二の種類の光記録媒体で反射された反射光とを受光する光検出器と、
前記光源から前記第一の対物レンズまでの前記出射光の光路と、前記光源から前記第二の対物レンズまでの前記出射光の光路とを分離し、前記第一の対物レンズから前記光検出器までの前記反射光の光路と、前記第二の対物レンズから前記光検出器までの前記反射光の光路とを合成する偏光ビームスプリッタと、
前記光源から前記偏光ビームスプリッタへ向かう直線偏光の偏光方向および前記偏光ビームスプリッタから前記光検出器へ向かう直線偏光の偏光方向を変化させないか９０°変化させるかを切り替える偏光方向切替手段と、
前記光源から前記偏光方向切替手段までの前記出射光の光路および前記偏光方向切替手段から前記光検出器までの前記反射光の光路に設けられ、前記光源から前記第一、第二の種類の光記録媒体へ選択的に向かう前記出射光に対して共通に働き、前記出射光の光路における球面収差を補正すると共に、前記第一、第二の種類の光記録媒体から選択的に前記光検出器へ向かう前記反射光に対して共通に働き、前記反射光の光路における球面収差を補正する球面収差補正手段と
を具備し、
前記球面収差補正手段と前記第一の対物レンズとの間の、前記偏光方向切替手段および前記偏光ビームスプリッタを経由する前記出射光の光路長と前記反射光の光路長とが等しく、
前記球面収差補正手段と前記第二の対物レンズとの間の、前記偏光方向切替手段および前記偏光ビームスプリッタを経由する前記出射光の光路長と前記反射光の光路長とが等しい
光ヘッド装置。
【請求項２】
前記偏光方向切替手段は、
前記光源と前記偏光ビームスプリッタとの間に設けられる往路用偏光方向切替手段と、
前記偏光ビームスプリッタと前記光検出器との間に設けられる復路用偏光方向切替手段と
を備え、
前記球面収差補正手段は、
前記光源と前記往路用偏光方向切替手段との間に設けられる往路用球面収差補正手段と、
前記復路用偏光方向切替手段と前記光検出器との間に設けられる復路用球面収差補正手段と
を備える
請求の範囲１に記載の光ヘッド装置。
【請求項３】
前記往路用球面収差補正手段および前記復路用球面収差補正手段は、液晶光学素子を含む
請求の範囲２に記載の光ヘッド装置。
【請求項４】
前記光源から前記第一または第二の対物レンズへ向かう前記出射光と、前記第一または第二の対物レンズから前記光検出器へ向かう前記反射光とを分離する光分離手段をさらに具備し、
前記偏光方向切替手段は前記光分離手段と前記偏光ビームスプリッタとの間に設けられ、前記球面収差補正手段は前記光分離手段と前記偏光方向切替手段との間に設けられる
請求の範囲１に記載の光ヘッド装置。
【請求項５】
請求の範囲１から請求の範囲４のいずれかに記載の光ヘッド装置と、
前記第一または第二の種類の光記録媒体のどちらを使用するかに応じて前記偏光方向切替手段へ入射する直線偏光の偏光方向を変化させないか９０°変化させるかを切り替えるために、前記偏光方向切替手段を駆動する偏光方向切替手段駆動回路と、
前記光源から前記第一または第二の種類の光記録媒体までの前記出射光の光路における球面収差、および前記第一または第二の種類の光記録媒体から前記光検出器までの前記反射光の光路における球面収差を補正するために、前記球面収差補正手段を駆動する球面収差補正手段駆動回路と
を具備する光学式情報記録再生装置。
【請求項６】
前記偏光方向切替手段駆動回路は、前記光検出器から出力される信号から抽出されるフォーカス誤差信号に基づいて判別される前記光記録媒体の種類に応じて前記偏光方向切替手段を駆動する
請求の範囲５に記載の光学式情報記録再生装置。
【請求項７】
前記球面収差補正手段駆動回路は、前記光記録媒体から再生される再生信号の品質評価指標が最良になるように前記球面収差補正手段を駆動する
請求の範囲５または請求の範囲６に記載の光学式情報記録再生装置。
【国際調査報告】
2008108138.tif 000012
2008108138.tif 000013
2008108138.tif 000014
2008108138.tif 000015